(57)【特許請求の範囲】
【請求項１】
媒体を収納する媒体収納部を有する筐体と、
開閉することで前記媒体収納部の入出口を露出又は隠蔽するシャッタと、
前記入出口を隠蔽するようにして閉じた状態の前記シャッタをロックし、前記筐体を着脱可能な装置に前記筐体が装着されるときに、前記筐体に設けられた挿入口から挿入されてくる、前記装置側に設けられた解除部と係合することにより動作して前記シャッタのロックを解除するロック機構と、
を有し、
前記ロック機構は、
前記シャッタをロックするロックレバーと、前記ロックレバーをロックするギアとでなり、
前記ギアには、
モジュールの異なる第１の歯と第２の歯とが設けられ、
前記解除部には、
前記第１の歯と同一モジュールでなる第３の歯と、前記第２の歯と同一モジュールでなる第４の歯とが設けられ、
前記ギアは、
前記第１の歯が前記第３の歯と噛み合うことで回転し、つづけて、前記第２の歯が前記第４の歯と噛み合うことで回転することにより、前記ロックレバーのロックを解除し、
前記ロックレバーは、
前記ギアによるロックが解除されることにより、前記シャッタのロックを解除する
ことを特徴とする媒体収納庫。
【請求項２】
媒体を収納する媒体収納部を有する筐体と、
開閉することで前記媒体収納部の入出口を露出又は隠蔽するシャッタと、
前記入出口を隠蔽するようにして閉じた状態の前記シャッタをロックし、前記筐体を着脱可能な装置に前記筐体が装着されるときに、前記筐体に設けられた挿入口から挿入されてくる、前記装置側に設けられた解除部と係合することにより動作して前記シャッタのロックを解除するロック機構と、
を有し、
前記ロック機構は、
前記シャッタをロックするロックレバーと、前記挿入口から前記ロックレバーが見えないように隠蔽する隠蔽壁と、前記挿入口の奥に設けられ、前記解除部を前記ロックレバーへと導く為の導入壁とでなり、
前記解除部は、
先端側に可動部が設けられ、前記可動部が前記導入壁まで到達して前記導入壁に押し当てられると、前記可動部が可動して前記ロックレバーへと導かれ、前記可動部が前記ロックレバーと係合することにより、前記ロックレバーによる前記シャッタのロックを解除する
ことを特徴とする媒体収納庫。
【請求項３】
媒体を収納する媒体収納部を有する筐体と、
開閉することで前記媒体収納部の入出口を露出又は隠蔽するシャッタと、
前記入出口を隠蔽するようにして閉じた状態の前記シャッタをロックし、前記筐体を着脱可能な装置に前記筐体が装着されるときに、前記筐体に設けられた挿入口から挿入されてくる、前記装置側に設けられた解除部と係合することにより動作して前記シャッタのロックを解除するロック機構と、
を有し、
前記ロック機構は、
前記シャッタをロックするロックレバーと、前記挿入口から前記ロックレバーまでの経路の奥側に設けられ、前記経路の一壁面から反対側の他壁面へと突出する奥側ブロックと、前記経路の手前側に設けられ、前記他壁面から前記一壁面へと突出する手前側ブロックとでなり、
前記奥側ブロックと前記手前側ブロックとは、
大きさが異なるとともに、前記挿入口から見てそれぞれの先端部分が重なるように配置され、
前記解除部は、
弾性変形可能な素材でなるとともに、先端側に前記奥側ブロックが嵌入し得る大きさの孔が設けられ、前記挿入口から挿入されると、弾性変形しながら先端が前記手前側ブロックと前記奥側ブロックとを乗り越えていき、前記孔に前記奥側ブロックが嵌入して元の形状へと戻ろうとするときに、先端が前記ロックレバーに到達して係合することにより、前記ロックレバーによる前記シャッタのロックを解除する
ことを特徴とする媒体収納庫。
【請求項４】
媒体を収納する媒体収納部を有する筐体と、
開閉することで前記媒体収納部の入出口を露出又は隠蔽するシャッタと、
前記入出口を隠蔽するようにして閉じた状態の前記シャッタをロックし、前記筐体を着脱可能な装置に前記筐体が装着されるときに、前記筐体に設けられた挿入口から挿入されてくる、前記装置側に設けられた解除部と係合することにより動作して前記シャッタのロックを解除するロック機構と、
を有し、
前記ロック機構は、
前記シャッタをロックするロックレバーと、前記ロックレバーを動かすギアとでなり、
前記解除部には、
前記ギアと噛み合う歯と、前記ロックレバーの一端が嵌入する溝とが設けられ、
前記ロックレバーは、
前記ギアが前記解除部と噛み合って回転することにともなって前記ロックを解除する方向に動き、前記一端が、前記解除部の溝に嵌入するまで動いた時点で、前記シャッタのロックを解除する
ことを特徴とする媒体収納庫。
【請求項５】
媒体を収納する媒体収納部を有する筐体と、
開閉することで前記媒体収納部の入出口を露出又は隠蔽するシャッタと、
前記入出口を隠蔽するようにして閉じた状態の前記シャッタをロックし、前記筐体を着脱可能な装置に前記筐体が装着されるときに、前記筐体に設けられた挿入口から挿入されてくる、前記装置側に設けられた解除部と係合することにより動作して前記シャッタのロックを解除するロック機構と、
を有し、
前記ロック機構は、
前記シャッタをロックするロックレバーでなり、
前記解除部には、
前記ロックレバーの一端が嵌入する溝が設けられ、
前記ロックレバーは、
前記解除部と接触して回転することにより前記ロックを解除する方向に動き、前記一端が、前記解除部の溝に嵌入するまで動いた時点で、前記シャッタのロックを解除する
ことを特徴とする媒体収納庫。
【請求項６】
請求項１乃至請求項５のいずれかに記載の媒体収納庫と、
前記媒体収納庫を着脱可能な装置筐体と、
前記装置筐体に設けられた前記解除部と、
を有することを特徴とする媒体取引装置。
【発明の詳細な説明】
【技術分野】
【０００１】
本発明は媒体収納庫及び媒体取引装置に関するものであり、例えば紙幣出金機に着脱可能な紙幣カセットに適用して好適なものである。
【背景技術】
【０００２】
従来、利用者からの要求に応じて紙幣を出金する紙幣出金機が金融機関等で使用されている（例えば特許文献１参照）。紙幣出金機には、顧客に出金する紙幣が装填される紙幣カセットが設けられている。紙幣出金機は、顧客操作に応じて制御部から紙幣カセットへ出金指示を出すことにより、紙幣カセットから紙幣を繰り出して出金を行う。さらに、紙幣出金機には、紙幣カセットから繰り出された紙幣のうち、鑑別部によって選別された出金に相応しくない紙幣（偽券、損券、スキュー紙幣、重送紙幣など）や顧客が取り忘れた紙幣を収納するリジェクトカセットが設けられている。
【０００３】
一般的に、紙幣カセットへの紙幣の装填作業やリジェクトカセットからの紙幣の回収作業は行員などの人出を介して行われる。この為、紙幣カセットとリジェクトカセットは、それぞれ紙幣出金機から着脱可能で且つ運搬可能な構成となっている。ゆえに、紙幣カセットとリジェクトカセットには、内部に収納されている紙幣が運搬中に盗難されないよう高度なセキュリティが要求される。
【０００４】
従来の紙幣カセットとリジェクトカセットでは、扉の錠と、不正操作を知らせるインジケータとによって、セキュリティを確保するようになっていた。
【先行技術文献】
【特許文献】
【０００５】
【特許文献１】特願２０１０−５２９５１４号公報（第１図）
【発明の概要】
【発明が解決しようとする課題】
【０００６】
しかしながら、従来のカセットのセキュリティでは、インジケータの色の変化で不正操作が行われたかどうかを特定することはできるが、不正操作自体を防止することはできないという問題を有していた。
【０００７】
本発明は以上の点を考慮してなされたもので、従来と比して、一段とセキュリティ性を向上させた媒体収納庫及び媒体取引装置を提案するものである。
【課題を解決するための手段】
【０００８】
かかる課題を解決するため本発明においては、媒体を収納する媒体収納部を有する筐体と、開閉することで前記媒体収納部の入出口を露出又は隠蔽するシャッタと、前記入出口を隠蔽するようにして閉じた状態の前記シャッタをロックし、前記筐体を着脱可能な装置に前記筐体が装着されるときに、前記筐体に設けられた挿入口から挿入されてくる、前記装置側に設けられた解除部と係合することにより動作して前記シャッタのロックを解除するロック機構とを有し、前記ロック機構は、前記シャッタをロックするロックレバーと、前記ロックレバーをロックするギアとでなり、前記ギアには、モジュールの異なる第１の歯と第２の歯とが設けられ、前記解除部には、前記第１の歯と同一モジュールでなる第３の歯と、前記第２の歯と同一モジュールでなる第４の歯とが設けられ、前記ギアは、前記第１の歯が前記第３の歯と噛み合うことで回転し、つづけて、前記第２の歯が前記第４の歯と噛み合うことで回転することにより、前記ロックレバーのロックを解除し、前記ロックレバーは、前記ギアによるロックが解除されることにより、前記シャッタのロックを解除する。
【０００９】
本発明は、媒体収納庫が、シャッタをロックするロックレバーと、当該ロックレバーをロックするギアとを有し、装置側に設けられた解除部にギアのモジュールの異なる第１の歯及び第２の歯と噛み合う当該第１の歯と同一モジュールでなる第３の歯及び第２の歯と同一モジュールでなる第４の歯を設けることにより、挿入口にギアの第１の歯及び第２の歯と噛み合う第３の歯及び第４の歯が設けられた解除部を挿入しないと、シャッタのロックを解除できず、装置に装着されていない状態でシャッタが開けられることを防止できる。
【発明の効果】
【００１０】
本発明によれば、従来と比して、一段とセキュリティ性を向上させた媒体収納庫及び媒体取引装置を実現できる。
【図面の簡単な説明】
【００１１】
【図１】紙幣出金機の構成を示す側面図である。
【図２】第１の実施の形態によるリジェクトカセットのロック機構及び紙幣出金機の解除レバーの構成と、解除動作を示す図である。
【図３】第２の実施の形態によるリジェクトカセットのロック機構及び紙幣出金機の解除レバーの構成と、解除動作を示す図である。
【図４】第３の実施の形態によるリジェクトカセットのロック機構及び紙幣出金機の解除レバーの構成と、解除動作を示す図である。
【図５】第４の実施の形態によるリジェクトカセットのロック機構及び紙幣出金機の解除レバーの構成と、解除動作を示す図である。
【図６】第４の実施の形態によるリジェクトカセットのロック機構及び紙幣出金機の解除レバーの構成と、解除動作を示す図である。
【図７】第５の実施の形態によるリジェクトカセットのロック機構及び紙幣出金機の解除磁石の構成と、解除動作を示す図である。
【図８】第６の実施の形態によるリジェクトカセットのロック機構及び紙幣出金機の解除レバーの構成と、解除動作を示す図である。
【図９】第７の実施の形態によるリジェクトカセットのロック機構及び紙幣出金機の解除レバーの構成と、解除動作を示す図である。
【図１０】リジェクトカセットに第１、第３乃至第５の実施の形態のロック機構のうちの２つを設けた構成を示す図である。
【発明を実施するための形態】
【００１２】
以下、発明を実施するための形態（以下実施の形態とする）について、図面を用いて説明する。
【００１３】
［１．第１の実施の形態］
［１−１．紙幣出金機の構成］
図１に模式的な側面図を示すように、第１の実施の形態による紙幣出金機１は、例えば金融機関等に設置され、利用者（すなわち金融機関の顧客）の操作に応じて紙幣を出金するようになっている。この紙幣出金機１は、大きく分けて下側の収納ユニット２及び上側の束搬送ユニット３により構成されており、さらに全体を制御する制御部４が組み込まれている。
【００１４】
以下では、紙幣出金機１のうち顧客が対峙する側を前側とし、その反対を後側とし、前側に対峙した顧客から見て左及び右をそれぞれ左側及び右側とし、さらに上側及び下側を定義して説明する。
【００１５】
収納ユニット２は、直方体状の収納筐体１０内に、紙幣に関する種々の処理を行う複数の部分が組み込まれている。この収納筐体１０内には、４個の紙幣カセット１１（１１Ａ、１１Ｂ、１１Ｃ及び１１Ｄ）、搬送部１３、鑑別部１４、切替部１５、集積部１６及びリジェクトカセット１７が設けられている。
【００１６】
紙幣カセット１１（１１Ａ、１１Ｂ、１１Ｃ及び１１Ｄ）は、その内部に、紙幣を前後方向に重ねるように集積した状態で収納する。また紙幣カセット１１の後側下部には、収納されている紙幣を１枚ずつに分離して繰り出す繰出部１２が設けられている。
【００１７】
搬送部１３は、図示しないローラやベルト、或いはこれらを駆動するモータ等により、紙幣を搬送する経路である搬送路を構成している。搬送部１３は、各紙幣カセット１１の繰出部１２から繰り出された紙幣を概ね上方向へ進行させる。
【００１８】
鑑別部１４は、搬送される紙幣の金種や走行状態等を鑑別し、その鑑別結果を制御部４へ供給する。制御部４は、得られた鑑別結果を基に、出金すべき正常な紙幣の搬送先を集積部１６に、出金すべきでない紙幣（以下これをリジェクト紙幣と呼ぶ）の搬送先をリジェクトカセット１７に、それぞれ決定する。
【００１９】
切替部１５は、紙幣カセット１１Ａの上側における前後方向のほぼ中央に配置されており、制御部４の制御に基づき、紙幣に当接して進行方向を変化させるブレード（図中三角形で示す）の傾斜角度を変更することにより、下方から搬送されてきた紙幣それぞれの進行方向を、制御部４において決定された搬送先に応じて切り替え、後側の集積部１６又は前側のリジェクトカセット１７へ進行させる。
【００２０】
集積部１６は、内部に紙幣を集積するための集積空間を形成している。集積部１６は、切替部１５から搬送され放出部１６Ｒにより集積空間内へ放出された紙幣を、ステージ１６Ｔ上に集積させることができる。
【００２１】
リジェクトカセット１７は、内部に紙幣を収納する収納部を有している。この収納部は、仕切板１７Ｐにより前上側と後下側とに仕切られている。またリジェクトカセット１７における後側には、切替部１５から搬送されてきた紙幣を収納部内へ放出する放出部１７Ｒが設けられている。このためリジェクトカセット１７は、切替部１５から搬送され放出部１７Ｒにより収納部内へ放出された紙幣（すなわちリジェクト紙幣）を収納することができる。
【００２２】
またリジェクトカセット１７の上面には、上下方向に貫通する取込孔１７Ｈが穿設されている。さらに取込孔１７Ｈは、収納筐体１０の上面も貫通しており、収納部と収納筐体１０よりも上側の束搬送ユニット３の内部とを連通させている。このためリジェクトカセット１７は、上方の束搬送ユニット３の内部から紙幣が落下してきた場合、この紙幣を収納部内に収納することができる。
【００２３】
さらにリジェクトカセット１７は、紙幣カセット１１と同様、収納筐体１０に対し前方向へ引き抜かれることにより、当該収納筐体１０から取り外すことができ、また当該収納筐体１０に対し位置を合わせて後方向へ押し込まれることにより、当該収納筐体１０に装着することができる。
【００２４】
一方、束搬送ユニット３は、直方体状の束搬送筐体２０内に、紙幣束を搬送するための種々の機構が設けられている。
【００２５】
［１−２．リジェクトカセットの構成］
ここで、紙幣出金機１から着脱可能なリジェクトカセット１７の構成について図２を用いて詳しく説明する。筐体４２の後面には、右端寄りの位置に、リジェクトカセット１７が紙幣出金機１に装着される際に、紙幣出金機１側に設けられた解除レバー４０が挿入される挿入口４１が設けられている。
【００２６】
筐体４２の内部には、シャッタ４５を閉じた状態でロックする為のロック機構５０が設けられている。ロック機構５０は、ロックレバー５１と、ギア５２とで構成されている。ロックレバー５１は、筐体４２の側面側から見て略Ｌ字型の形状となっている。このロックレバー５１は、図１０（Ａ）の左側に示すように、フレーム４６の右側壁から筐体４２の右側壁側へと延びる支軸５３によって、Ｌ字の折れ曲がっている箇所に相当する折れ曲がり箇所を中心に回転可能に支持されている。このロックレバー５１は、折れ曲がり箇所から後面側に延びる第１の部分５１Ａと、下方に延びる第２の部分５１Ｂとでなり、第１の部分５１Ａの先端には、上方に突出する爪５１Ｃが設けられている。
【００２７】
このロックレバー５１は、第１の部分５１Ａが、閉じているシャッタ４５の下側に位置するとともに、第２の部分５１Ｂの下端が、挿入口４１の奥に位置するようになっている。さらにこのロックレバー５１は、図示しないスプリングなどにより図中反時計まわり方向に付勢されていて、これによりロックレバー５１の先端の爪５１Ｃがシャッタ４５の下面に形成された溝４５Ａに嵌入して、シャッタ４５を閉じた状態でロックするようになっている。
【００２８】
ギア５２は、歯車形状でなり、図１０（Ａ）の左側に示すように、フレーム４６の右側壁から筐体４２の右側壁側へと延びる支軸５４によって回転可能に支持されている。このギア５２には、筐体４２の右側壁と対向する外側の面に、筐体４２の右側壁側に突出する突起５２Ａが設けられている。ギア５２は、図示しないスプリングなどにより突起５２Ａが支軸５４の真上に留まるようにして、支軸５４に支持されている。
【００２９】
これにより、ロックレバー５１によってシャッタ４５がロックされているとき、ギア５２の突起５２Ａは、ロックレバー５１の第１の部分５１Ａの下方近傍に位置することになり、ロックレバー５１が図中時計まわり方向に回転することを防止するストッパとして機能する。
【００３０】
紙幣出金機１側の解除レバー４０は、前後方向に延びる棒状でなり、上面にギア５２と同一のモジュール（すなわち歯の大きさ）でなる歯が形成された、ギア（ピニオン）５２と噛み合うラックである。
【００３１】
リジェクトカセット１７の構成は、以上のようになっている。ここで、シャッタ４５のロックを解除する解除動作について説明する。
【００３２】
作業者が、リジェクトカセット１７を、紙幣出金機１の収納筐体１０に対し矢印Ａで示す装着方向に押し込んでいくと、まず、解除レバー４０が、リジェクトカセット１７の挿入口４１からリジェクトカセット１７の内部に挿入される。
【００３３】
さらに、リジェクトカセット１７が押し込まれていくと、図２（Ａ）に示すように、挿入口４１から挿入された解除レバー４０の先端がギア５２の下部に到達してギア５２と噛み合う。さらに、リジェクトカセット１７が押し込まれていくと、解除レバー４０が進行することにともなって、ギア５２が図中時計まわり方向に回転する。これにより、ギア５２の突起５２Ａが、ロックレバー５１の第１の部分５１Ａから離れていき、ロックレバー５１が図中時計まわり方向に回転できる状態となる。ただし、ロックレバー５１は、図中反時計まわり方向に付勢されている為、この時点では、まだシャッタ４５をロックしている。
【００３４】
さらに、リジェクトカセット１７が押し込まれていくと、解除レバー４０の先端がギア５２の前方に位置するロックレバー５１の第２の部分５１Ｂに到達して第２の部分５１Ｂに接触する。さらに、リジェクトカセット１７が押し込まれていくと、図２（Ｂ）に示すように、解除レバー４０によって、ロックレバー５１の第２の部分５１Ｂが前方に押されることで、ロックレバー５１が図中時計まわり方向に回転する。これにより、ロックレバー５１の爪５１Ｃが、シャッタ４５の溝４５Ａから外れて、シャッタ４５のロックが解除される。この時点で、リジェクトカセット１７は、シャッタ４５を開けることができる状態となる。そして、図２（Ｃ）に示すように、例えば、図示しないアクチュエータによりシャッタ４５が開けられる。このような解除動作により、シャッタ４５のロックが解除される。
【００３５】
また、図示しないが、リジェクトカセット１７を紙幣出金機１から取り外す場合、リジェクトカセット１７は、図示しないアクチュエータによりシャッタが閉じられた後、上述の解除動作とは逆の手順の動作（これをロック動作と呼ぶ）により、シャッタ４５を閉じた状態でロックするようになっている。
【００３６】
［１−３．まとめと効果］
ここまで説明したように、第１の実施の形態では、リジェクトカセット１７に、ロックレバー５１とギア５２からなるロック機構５０を設けるようにした。そして、リジェクトカセット１７が紙幣出金機１から取り外されているときには、ロックレバー５１の爪５１Ｃが、閉じた状態のシャッタ４５の溝４５Ａに嵌入するとともに、ギア５２の突起５２Ａが、ロックレバー５１が回転すること（すなわちロックレバー５１の爪５１Ｃがシャッタ４５の溝４５Ａから外れること）を防止するストッパとして機能することで、シャッタ４５を強固にロックする。これにより、リジェクトカセット１７は、紙幣出金機１から取り外されたときに、不正にシャッタ４５が開けられてしまうことを防ぐことができる。
【００３７】
また、リジェクトカセット１７は、ギア５２と噛み合う形状の解除レバー４０が挿入口４１から挿入されると、まず、この解除レバー４０によってギア５２が回転してロックレバー５１の回転を防止するストッパが外れる。その後、解除レバー４０がさらに奥に挿入されると、この解除レバー４０によって、ロックレバー５１が回転することで、爪５１Ｃがシャッタ４５の溝４５Ａから外れてシャッタ４５のロックが解除される。
【００３８】
このように、リジェクトカセット１７は、挿入口４１に、ギア５２と噛み合う形状の解除レバー４０を挿入しないと、シャッタ４５のロックを解除できないようになっている為、例えば、単純な形状の棒を挿入口４１から挿入して不正にロックを解除しようとしても、解除することはできない。また、紙幣出金機１側の解除レバー４０は、例えば溶接により紙幣出金機１の収納筐体１０に固定されている為、簡単に取り外すことはできないようになっている。これにより、リジェクトカセット１７は、シャッタ４５のロックが不正に解除されてしまうことを防ぐことができる。
【００３９】
かくして、第１の実施の形態のリジェクトカセット１７は、従来と比して、一段とセキュリティ性を向上させることができる。
【００４０】
［２．第２の実施の形態］
次に、第２の実施の形態について説明する。この第２の実施の形態は、解除レバーとロック機構の構成が、第１の実施の形態とは異なるものである。尚、紙幣出金機１やリジェクトカセット１７の基本的な構成については、第１の実施の形態と同様の為、詳しい説明については第１の実施の形態を参照とする。よって、ここでは、主に、解除レバーとロック機構とについて説明する。
【００４１】
［２−１．解除レバー及びロック機構の構成］
図３に、紙幣出金機１側に設けられる解除レバー６０と、リジェクトカセット１７のロック機構６１の構成を示す。尚、ロック機構６１は、第１の実施の形態のロック機構５０と比べて、ギア６２の歯が異なるのみである為、ギア６２以外の部分については省略している。ギア６２以外の部分の説明については、第１の実施の形態のロック機構５０を参照とする。
【００４２】
図３に示すように、ロック機構６１のギア６２は、外周に形成された歯が同一のモジュールによって構成されているのではなく、２つの異なるモジュールによって構成されている。具体的には、ギア６２の外周を半周ずつ２つに分け、一方の半周には、第１のモジュールでなる第１の歯６２Ａが形成され、他方の半周には、第１のモジュールより大きい第２のモジュールでなる第２の歯６２Ｂが形成されている。尚、このギア６２は、支軸５３の真上に突起５２Ａが位置するときに、第１の歯６２Ａが下側、第２の歯６２Ｂが上側となるように、歯が形成されている。
【００４３】
一方、解除レバー６０についても、上面に形成された歯が同一のモジュールによって構成されているのではなく、ギア６２と同様、２つの異なるモジュールによって構成されている。具体的には、解除レバー６０の先端部分の上面には、ギア６２の第１の歯６２Ａと噛み合うことのできる第１のモジュールでなる第３の歯６０Ａが形成され、先端部分に続く部分の上面には、ギア６２の第２の歯６２Ｂと噛み合うことのできる第２のモジュールでなる第４の歯６０Ｂが形成されている。さらに詳しく言うと、解除レバー６０の上面には、突起５２Ａが支軸５３の真上に位置するときのギア６２の外周の最下位置から最上位置までの歯が直線上に形成されている。
【００４４】
ギア６２と解除レバー６０は、このような構成でなり、紙幣出金機１の収納筐体１０に対しリジェクトカセット１７を装着方向に押し込んでいくと、解除レバー６０の先端がギア６２の下部に到達する。尚、解除動作の図については省略する。このとき、解除レバー６０の先端部分に形成された第３の歯６０Ａと、ギア６２の外周の下部に形成された第１の歯６２Ａとがともに第１のモジュールの歯であることにより噛み合う。
【００４５】
さらに、リジェクトカセット１７が押し込まれていくと、解除レバー６０が進行することにともなって、ギア６２が図中時計まわり方向に回転する。これにより、ギア６２の突起５２Ａが、ロックレバー５１の第１の部分５１Ａから離れていく。さらに、リジェクトカセット１７が押し込まれて、解除レバー６０が進行するとともにギア６２が回転すると、解除レバー６０の第２のモジュールの第４の歯６０Ｂが形成されている部分がギア６２の下部に到達するとともに、ギア６２の外周に形成されている第２のモジュールの第２の歯６２Ｂが、ギア６２の下部に位置する。
【００４６】
このとき、解除レバー６０のギア６２に到達した部分に形成された第４の歯６０Ｂと、ギア６２の外周の下部に形成された第２の歯６２Ｂとがともに第２のモジュールの歯であることにより噛み合う。
【００４７】
さらに、リジェクトカセット１７が押し込まれていくと、解除レバー６０によって、ロックレバー５１の第２の部分５１Ｂが後方に押されることで、ロックレバー５１が図中時計まわり方向に回転する。これにより、ロックレバー５１の爪５１Ｃが、シャッタ４５の溝４５Ａから外れて、シャッタ４５のロックが解除される。
【００４８】
［２−２．まとめと効果］
ここまで説明したように、第２の実施の形態では、リジェクトカセット１７のロック機構６１の一部であるギア６２と、紙幣出金機１側の解除レバー６０とに、それぞれ２つの異なるモジュールによって構成される第１乃至第４の歯６２Ａ、６２Ｂ、６０Ａ、６０Ｂを設けるようにした。そして、シャッタ４５のロックを解除する解除動作時に、解除レバー６０がギア６２に到達すると、最初は、ギア６２に設けられた第１の歯６２Ａと、解除レバー６０に設けられた第３の歯６０Ａとが噛み合い、途中から、ギア６２に設けられた第２の歯６２Ｂと、解除レバー６０に設けられた第４の歯６０Ｂとが噛み合うことで、解除レバー６０の進行にともなってギア６２が回転して、シャッタ４５のロックを解除するようにした。
【００４９】
このように、リジェクトカセット１７は、２つの異なるモジュールでなる第３及び第４の歯６０Ａ、６０Ｂが形成された解除レバー６０でないとロックを解除できないようになっている為、例えば、市販されているような同一のモジュールが形成されたラックを、挿入口４１から挿入して不正にロックを解除しようとしても、ギア６２とラックが噛み合わなくなる為、解除することはできない。また、２つの異なるモジュールでなる第３及び第４の歯６０Ａ、６０Ｂが形成された解除レバー６０は偽造がより困難である。ゆえに、この第２の実施の形態のリジェクトカセット１７は、シャッタ４５のロックが不正に解除されてしまうことを、第１の実施の形態のリジェクトカセット１７と比して、より確実に防ぐことができる。
【００５０】
また、挿入口４１からは、ギア６２の下端側に位置する第１の歯６２Ａの部分しか見えないようにすれば、ギア６２に２つの異なるモジュールでなる第１及び第２の歯６２Ａ、６２Ｂが形成されていることを外部から隠蔽することができる。
【００５１】
かくして、第２の実施の形態のリジェクトカセット１７は、従来及び第１の実施の形態と比して、一段とセキュリティ性を向上させることができる。
【００５２】
［３．第３の実施の形態］
次に、第３の実施の形態について説明する。この第３の実施の形態は、リジェクトカセット１７のロック機構と紙幣出金機１の解除レバーの構成が、第１の実施の形態とは異なるものである。尚、紙幣出金機１の基本的な構成については、第１の実施の形態と同様の為、詳しい説明については第１の実施の形態を参照とする。よって、ここでは、主に、ロック機構と解除レバーの構成について説明する。
【００５３】
［３−１．ロック機構及び解除レバーの構成］
図４に、リジェクトカセット１７のロック機構７０及び解除レバー７１の構成を示す。尚、図４については、図２と同一の部分には同一の符号を付してある。同一部分の詳しい説明については第１の実施の形態を参照とする。
【００５４】
リジェクトカセット１７の筐体４２の後面には、右端寄りの位置に、リジェクトカセット１７が紙幣出金機１に装着される際に、紙幣出金機１側に設けられた解除レバー７１が挿入される挿入口７２が設けられている。
【００５５】
筐体４２の内部には、シャッタ４５を閉じた状態でロックする為のロック機構７０が設けられている。ロック機構７０は、ロックレバー７３を有し、ロックレバー７３は、筐体４２の側面側から見てＴ字を逆さにしたような形状となっている。このロックレバー７３は、前後方向に延びる基部７３Ａと、基部７３Ａのほぼ中央から上方に突出する爪７３Ｂとで構成されている。このロックレバー７３は、図１０（Ｃ）の左側に示すように、フレーム４６の右側壁から筐体４２の右側壁側へと延びる支軸７４によって、基部７３Ａの後端（筐体４２の後面に近い側の端）を中心に回転可能に支持されている。
【００５６】
このロックレバー７３は、基部７３Ａが、閉じているシャッタ４５の下側に位置するようになっている。さらにこのロックレバー７３は、図示しないスプリングなどにより図中時計まわり方向に付勢されていて、これによりロックレバー７３の爪７３Ｂがシャッタ４５の下面に形成された溝４５Ａに嵌入して、シャッタ４５を閉じた状態でロックするようになっている。
【００５７】
紙幣出金機１側の解除レバー７１は、前後方向に延びる棒状の基部７１Ａと、この基部７１Ａの前端部に回転可能に支持されているＬ字型の可動部７１Ｂとで構成されている。基部７１Ａは、紙幣出金機１の収納筐体１０に固定される部分である。可動部７１Ｂは、一端部が基部７１Ａの前端部に支持されていて、一端部を中心に回転可能となっている。
【００５８】
また、この可動部７１Ｂは、図示しないスプリングなどにより、他端部（すなわち先端部）が上方へ曲がる向きで、且つ他端部が支点よりもわずかに上方に位置する姿勢を保つようにして、基部７１Ａに支持されている。これにより、可動部７１Ｂは、先端部に、後方への力を受けると、必ず図中時計まわり方向に回転する。
【００５９】
第３の実施の形態のリジェクトカセット１７のロック機構７０及び解除レバー７１の構成は、以上のようになっている。ここで、シャッタ４５のロックを解除する解除動作について説明する。
【００６０】
作業者が、リジェクトカセット１７を、紙幣出金機１の収納筐体１０に対し矢印Ａで示す装着方向に押し込んでいくと、まず、解除レバー７１が、リジェクトカセット１７の挿入口７２からリジェクトカセット１７の内部に挿入される。
【００６１】
さらに、リジェクトカセット１７が押し込まれていくと、図４（Ａ）に示すように、挿入口７２から挿入された解除レバー７１の可動部７１Ｂの先端が、第１の導入壁４６Ｂに当接して、解除レバー７１の可動部７１Ｂが第１の導入壁４６Ｂからの力を受けることにより、可動部７１Ｂが図中時計まわり方向に回転する。
【００６２】
さらに、リジェクトカセット１７が押し込まれていくと、解除レバー７１の可動部７１Ｂの支点近傍の部分が、第２の導入壁４６Ｃに当接して、可動部７１Ｂが第２の導入壁４６Ｃからの力を受けることにより、さらに可動部７１Ｂが図中時計まわり方向に回転する。これにより、解除レバー７１の可動部７１Ｂの先端が、隠蔽壁４６Ａの上方の空間、すなわちロックレバー７３が設けられている空間へと導かれる。
【００６３】
さらに、リジェクトカセット１７が押し込まれて、可動部７１Ｂが図中時計まわり方向に回転していくと、図４（Ｂ）に示すように、可動部７１Ｂの先端がロックレバー７３の基部７３Ａの前端と接触して、基部７３Ａの前端を下方に押し下げることにより、基部７３Ａが図中反時計まわり方向に回転する。これにより、ロックレバー７３の爪７３Ｂが、シャッタ４５の溝４５Ａから外れて、シャッタ４５のロックが解除される。この時点で、リジェクトカセット１７は、シャッタ４５を開けることができる状態となる。そして、図４（Ｃ）に示すように、例えば、図示しないアクチュエータによりシャッタ４５が開けられる。このような解除動作により、シャッタ４５のロックが解除される。
【００６４】
また、図示しないが、リジェクトカセット１７を紙幣出金機１から取り外す場合、リジェクトカセット１７は、図示しないアクチュエータによりシャッタ４５が閉じられた後、上述の解除動作とは逆の手順の動作（ロック動作）により、シャッタ４５を閉じた状態でロックするようになっている。
【００６５】
［３−２．まとめと効果］
ここまで説明したように、第３の実施の形態では、リジェクトカセット１７に、ロックレバー７３、隠蔽壁４６Ａ、第１及び第２の導入壁４６Ｂ、４６Ｃからなるロック機構７０を設け、さらにこのロックレバー７３を、挿入口７２よりも上側に配置するとともに、挿入口７２から見えないように挿入口７２の上端から奥へと延びる隠蔽壁４６Ａで隠蔽するようにした。
【００６６】
そして、リジェクトカセット１７が紙幣出金機１から取り外されているときには、ロックレバー７３の爪７３Ｂが、閉じた状態のシャッタ４５の溝４５Ａに嵌入することで、シャッタ４５をロックする。これにより、リジェクトカセット１７は、紙幣出金機１から取り外されたときに、不正にシャッタ４５が開けられてしまうことを防ぐことができる。
【００６７】
また、リジェクトカセット１７は、変形可能な解除レバー７１が挿入口７２から挿入されると、この解除レバー７１がリジェクトカセット１７の内部に設けられた第１及び第２の導入壁４６Ｂ、４６Ｃに接触して力を受けて上方に折れ曲がるように変形することで、解除レバー７１の先端が隠蔽壁４６Ａを避けるようにしてロックレバー７３に到達する。その後、解除レバー７１がさらに奥に挿入されると、この解除レバー７１によって、ロックレバー７３が回転させられることで、爪７３Ｂがシャッタ４５の溝４５Ａから外れてシャッタ４５のロックが解除される。
【００６８】
このように、リジェクトカセット１７は、挿入口７２に、変形可能な解除レバー７１を挿入しないと、シャッタ４５のロックを解除できないようになっている為、例えば、単純な形状の棒を挿入口７２から挿入して不正にロックを解除しようとしても、解除することはできない。また、挿入口７２からはロックレバー７３が見えないようになっている。さらに、解除レバー７１は、例えば溶接により紙幣出金機１の収納筐体１０に固定されている為、簡単に取り外すことはできないようになっている。これにより、第３の実施の形態のリジェクトカセット１７は、シャッタ４５のロックが不正に解除されてしまうことを、より確実に防ぐことができる。
【００６９】
かくして、第３の実施の形態のリジェクトカセット１７は、従来と比して、一段とセキュリティ性を向上することができる。なお、図１０（Ａ）のように、リジェクトカセット１７に、第１の実施の形態のロック機構５０と、第３の実施の形態のロック機構７０とを設けることも出来る。このようにすることで、リジェクトカセット１７が紙幣出金機１から取り外されているときには、２つの異なるロック機構５０、７０が、それぞれ別々にシャッタ４５をロックする。これにより、リジェクトカセット１７は、紙幣出金機１から取り外されたときに、不正にシャッタ４５が開けられてしまうことをより確実に防ぐことができる。
【００７０】
また、図１０（Ａ）に示したリジェクトカセット１７は、２つの異なるロック機構５０、７０の両方を一度に解除しないと（すなわち同時にロックを解除した状態にしないと）、シャッタ４５のロックを解除することが出来なくなっている。さらに、２つの解除レバー４０、７１の構造が大きく異なる（一方はラック状のバー、他方は可動部を有するバー）為、両方の解除レバー４０、７１を偽造するのはより困難となっている。かくして、図１０（Ａ）に示したリジェクトカセット１７は、１つのロック機構を有する第１及び第３の実施の形態と比べて、一段とセキュリティ性を向上することができる。
【００７１】
［４．第４の実施の形態］
次に、第４の実施の形態について説明する。この第４の実施の形態は、リジェクトカセット１７のロック機構と解除レバーの構成が、第１の実施の形態とは異なるものである。尚、紙幣出金機１の基本的な構成については、第１の実施の形態と同様の為、詳しい説明については第１の実施の形態を参照とする。よって、ここでは、主に、リジェクトカセット１７のロック機構及び解除レバーの構成について説明する。
【００７２】
［４−１．ロック機構及び解除レバーの構成］
図５に、リジェクトカセット１７のロック機構８０及び解除レバー８１の構成を示す。また、図５については、図２と同一の部分には同一の符号を付してある。同一部分の詳しい説明については第１の実施の形態を参照とする。
【００７３】
リジェクトカセット１７の筐体４２の後面には、右端寄りの位置に、リジェクトカセット１７が紙幣出金機１に装着される際に、紙幣出金機１側に設けられた解除レバー８１が挿入される挿入口８２が設けられている。
【００７４】
筐体４２の内部には、シャッタ４５を閉じた状態でロックする為のロック機構８０が設けられている。ロック機構８０は、ロックレバー８３を有し、筐体４２の側面側から見て略Ｌ字型の形状となっている。このロックレバー８３は、図１０（Ｄ）の左側に示すように、フレーム４６の右側壁から筐体４２の右側壁側へと延びる支軸８４によって、Ｌ字の折れ曲がっている箇所に相当する折れ曲がり箇所を中心に回転可能に支持されている。このロックレバー８３は、折れ曲がり箇所から後面側に延びる第１の部分８３Ａと、下方に延びる第２の部分８３Ｂとでなり、第１の部分８３Ａの先端には、上方に突出する爪８３Ｃが設けられている。
【００７５】
このロックレバー８３は、第１の部分８３Ａが、閉じているシャッタ４５の下側に位置するとともに、第２の部分８３Ｂの下端が、挿入口８２の奥に位置するようになっている。さらにこのロックレバー８３は、図示しないスプリングなどにより図中反時計まわり方向に付勢されていて、これによりロックレバー８３の先端の爪８３Ｃがシャッタ４５の下面に形成された溝４５Ａに嵌入して、シャッタ４５を閉じた状態でロックするようになっている。
【００７６】
紙幣出金機１側の解除レバー８１は、前後方向に延びる板状でなり、弾性材料で形成された板バネとなっている。この解除レバー８１には、先端側に、四角形状の２つの孔８１Ａ、８１Ｂが長手方向に所定の間隔を空けて設けられている。
【００７７】
２つの孔８１Ａ、８１Ｂは、それぞれ同一の大きさでなり、前後方向の大きさが、奥側ブロック８５及び手前側ブロック８６の前後方向の大きさよりも大きくなっている。また、２つの孔８１Ａ、８１Ｂの左右方向の大きさは、手前側ブロック８６の左右方向の大きさより小さく、奥側ブロック８５の左右方向の大きさより大きくなっている。
【００７８】
つまり、手前側ブロック８６の左右方向の大きさ＞解除レバー８１の孔８１Ａ、８１Ｂの左右方向の大きさ＞奥側ブロック８５の左右方向の大きさ≧ロックレバー８３の第２の部分８３Ｂの左右方向の大きさとなっている。
【００７９】
第４の実施の形態のリジェクトカセット１７のロック機構８０及び解除レバー８１の構成は、以上のようになっている。ここで、図５及び図６を用いて、シャッタ４５のロックを解除する解除動作について説明する。尚、図５（Ａ）、（Ｂ）及び図６（Ａ）、（Ｂ）は、それぞれ下側にリジェクトカセット１７の断面図、上側にロックレバー８３の第２の部分８３Ｂ、奥側ブロック８５、手前側ブロック８６、解除レバー８１を下側から見た図を配置したものである。
【００８０】
作業者が、リジェクトカセット１７を、紙幣出金機１の収納筐体１０に対し矢印Ａで示す装着方向に押し込んでいくと、まず、解除レバー８１が、リジェクトカセット１７の挿入口８２からリジェクトカセット１７の内部に挿入される。
【００８１】
さらに、リジェクトカセット１７を押し込んでいくと、図５（Ａ）に示すように、挿入口８２から挿入された解除レバー８１の先端が、手前側ブロック８６に接触して、手前側ブロック８６に押し上げられるように弾性変形する。さらに、リジェクトカセット１７を押し込んでいくと、図５（Ｂ）に示すように、解除レバー８１の先端が、手前側ブロック８６を乗り越え、奥側ブロック８５に接触して、奥側ブロック８５に押し下げられるように弾性変形する。
【００８２】
さらに、リジェクトカセット１７を押し込んでいくと、図６（Ａ）に示すように、解除レバー８１の先端が、奥側ブロック８５を乗り越え、解除レバー８１の先端側の孔８１Ａに奥側ブロック８５が嵌入すると、解除レバー８１が元の形状へと戻りながら、解除レバー８１の先端がロックレバー８３の第２の部分８３Ｂに接触して、第２の部分８３Ｂを後方に押すことで、ロックレバー８３が図中時計まわり方向に回転する。これにより、ロックレバー８３の爪８３Ｃが、シャッタ４５の溝４５Ａから外れて、シャッタ４５のロックが解除される。この時点で、リジェクトカセット１７は、シャッタ４５を開けることができる状態となる。そして、図６（Ｂ）に示すように、例えば、図示しないアクチュエータによりシャッタ４５が開けられる。このような解除動作により、シャッタ４５のロックが解除される。
【００８３】
また、図示しないが、リジェクトカセット１７を紙幣出金機１から取り外す場合、リジェクトカセット１７は、図示しないアクチュエータによりシャッタ４５が閉じられた後、上述の解除動作とは逆の手順の動作（ロック動作）により、シャッタ４５を閉じた状態でロックするようになっている。
【００８４】
［４−２．まとめと効果］
ここまで説明したように、第４の実施の形態では、リジェクトカセット１７に、ロックレバー８３、奥側ブロック８５及び手前側ブロック８６からなるロック機構８０を設け、奥側ブロック８５の先端と手前側ブロック８６の先端とが上下方向にオーバーラップするようにして、挿入口８２から、奥側ブロック８５のさらに奥に位置するロックレバー８３には、直線的に辿り着けないようにした。
【００８５】
そして、リジェクトカセット１７が紙幣出金機１から取り外されているときには、ロックレバー８３の爪８３Ｃが、閉じた状態のシャッタ４５の溝４５Ａに嵌入することで、シャッタ４５をロックする。これにより、リジェクトカセット１７は、紙幣出金機１から取り外されたときに、不正にシャッタ４５が開けられてしまうことを防ぐことができる。
【００８６】
また、リジェクトカセット１７は、弾性変形可能な解除レバー８１が挿入口８２から挿入されると、この解除レバー８１の先端側が上下方向に弾性変形しながら、手前側ブロック８６と奥側ブロック８５を乗り越え、解除レバー８１の先端側に設けられた孔８１Ａに、奥側ブロック８５が嵌入して、解除レバー８１が元の形状に戻ろうとするときに解除レバー８１の先端がロックレバー８３に到達して、ロックレバーを回転させる。これにより、ロックレバー８３の爪８３Ｃがシャッタ４５の溝４５Ａから外れてシャッタ４５のロックが解除される。
【００８７】
このように、リジェクトカセット１７は、挿入口８２に、弾性変形可能な解除レバー８１を挿入しないと、シャッタ４５のロックを解除できないようになっている。非弾性素材で形成されたレバーを挿入口８２から挿入した場合、手前側ブロック８６や奥側ブロック８５を乗り越えることができず、ロックレバー８３を回転させることができない。
【００８８】
また、弾性素材で形成されたレバーであっても、奥側ブロック８５に応じた孔８１Ａが形成されていないと、レバーの先端が、奥側ブロック８５を乗り越えたときに元の形状に戻ろうとせず、そのままレバーの先端がロックレバー８３の下方に向かってしまい、ロックレバー８３を回転させることができない。
【００８９】
このように、第４の実施の形態のリジェクトカセット１７は、挿入口８２からは、ロックレバー８３が奥側ブロック８５の奥に隠れて見えず、且つ直線的に辿り着けないようになっていて、弾性素材で形成され且つ適切な位置に適切な大きさの孔８１Ａが形成された解除レバー８１でないとシャッタ４５のロックを解除できないようになっている。また、解除レバー８１は、例えば溶接により紙幣出金機１の収納筐体１０に固定されている為、簡単に取り外すことはできないようになっている。これにより、第４の実施の形態のリジェクトカセット１７は、シャッタ４５のロックが不正に解除されてしまうことを、より確実に防ぐことができる。
【００９０】
かくして、第４の実施の形態のリジェクトカセット１７は、従来と比して、一段とセキュリティ性を向上することができる。なお、図１０（Ｂ）のように、リジェクトカセット１７に、第１の実施の形態のロック機構５０と、第４の実施の形態のロック機構８０とを設けることも出来る。さらに、図１０（Ｃ）のように、リジェクトカセット１７に、第３の実施の形態のロック機構７０と、第４の実施の形態のロック機構８０とを設けることも出来る。このようにすることで、リジェクトカセット１７が紙幣出金機１から取り外されているときには、２つの異なるロック機構５０及び８０又は２つの異なるロック機構７０及び８０が、それぞれ別々にシャッタ４５をロックする。これにより、リジェクトカセット１７は、紙幣出金機１から取り外されたときに、不正にシャッタ４５が開けられてしまうことをより確実に防ぐことができる。
【００９１】
また、図１０（Ｂ）又は図１０（Ｃ）に示したリジェクトカセット１７は、２つの異なるロック機構５０及び８０又は２つの異なるロック機構７０及び８０の両方を一度に解除しないと（すなわち同時にロックを解除した状態にしないと）、シャッタ４５のロックを解除することが出来なくなっている。さらに、解除レバー４０、７１及び８１の構造及び素材が大きく異なる（図１０（Ｂ）においては、一方はラック状の非弾性素材でなるバー、他方は所定の位置に孔が形成された弾性素材でなるバー、図１０（Ｃ）においては、一方は可動部を有する非弾性素材でなるレバー、他方は所定の位置に孔が形成された弾性素材でなるレバー）為、解除レバー４０、７１、８１を偽造するのはより困難となっている。かくして、図１０（Ｂ）又は図１０（Ｃ）に示したリジェクトカセット１７は、１つのロック機構を有する第１の実施形態、第３の実施形態及び第４の実施の形態と比べて、一段とセキュリティ性を向上することができる。
【００９２】
［５．第５の実施の形態］
次に、第５の実施の形態について説明する。この第５の実施の形態は、リジェクトカセット１７のロック機構の構成が、第１の実施の形態とは異なるものである。尚、紙幣出金機１の基本的な構成については、第１の実施の形態と同様の為、詳しい説明については第１の実施の形態を参照とする。よって、ここでは、主に、リジェクトカセット１７のロック機構の構成について説明する。
【００９３】
［５−１．ロック機構の構成］
図７に、リジェクトカセット１７のロック機構１００の構成を示す。尚、図７については、図２と同一の部分には同一の符号を付してある。同一部分の詳しい説明については第１の実施の形態を参照とする。
【００９４】
リジェクトカセット１７の筐体４２の内部には、シャッタ４５を閉じた状態でロックする為のロック機構１００が設けられている。
【００９５】
ロック機構１００は、ロックレバー１０２からなり、ロックレバー１０２は、前後方向に延びる基部１０２Ａと、基部１０２Ａの後端から上方に突出する爪１０２Ｂと、基部１０２Ａの前端（爪１０２Ｂとは逆側の端）に設けられた磁石１０２Ｃとで構成されている。このロックレバー１０２は、図１０（Ｄ）の右側に示すように、フレーム４６の右側壁から筐体４２の右側壁側へと延びる支軸１０３によって、基部１０２Ａの中央を中心に回転可能に支持されている。
【００９６】
このロックレバー１０２は、閉じているシャッタ４５の下側に位置するようになっている。さらにこのロックレバー１０２は、図示しないスプリングなどにより図中反時計まわり方向に付勢されていて、これによりロックレバー１０２の爪１０２Ｂがシャッタ４５の下面に形成された溝４５Ａに嵌入して、シャッタ４５を閉じた状態でロックするようになっている。
【００９７】
紙幣出金機１側の解除磁石１０１は、リジェクトカセット１７の内部に設けられたロックレバー１０２の磁石１０２Ｃの上方に位置するようになっている。また、この解除磁石１０１は、ロックレバー１０２の磁石１０２Ｃに近づくと、この磁石１０２Ｃと引き合うようになっている。
【００９８】
第５の実施の形態のリジェクトカセット１７のロック機構１００の構成は、以上のようになっている。ここで、シャッタ４５のロックを解除する解除動作について説明する。
【００９９】
図７（Ａ）に示すように、作業者が、リジェクトカセット１７を、紙幣出金機１の収納筐体１０に押し込んでいき、収納筐体１０にリジェクトカセット１７が装着されると、このとき、収納筐体１０に設けられた解除磁石１０１が、リジェクトカセット１７の内部に設けられたロックレバー１０２の磁石１０２Ｃの上方に到達する。
【０１００】
すると、この解除磁石１０１と、ロックレバー１０２の磁石１０２Ｃとが引き合うことにより、ロックレバー１０２が図中時計まわり方向に回転する。これにより、ロックレバー１０２の爪１０２Ｂが、シャッタ４５の溝４５Ａから外れて、シャッタ４５のロックが解除される。この時点で、リジェクトカセット１７は、シャッタ４５を開けることができる状態となる。そして、図７（Ｂ）に示すように、例えば、図示しないアクチュエータによりシャッタ４５が開けられる。このような解除動作により、シャッタ４５のロックが解除される。
【０１０１】
また、図示しないが、リジェクトカセット１７を紙幣出金機１から取り外す場合、リジェクトカセット１７は、図示しないアクチュエータによりシャッタ４５が閉じられた後、上述の解除動作とは逆の手順の動作（ロック動作）により、シャッタ４５を閉じた状態でロックするようになっている。
【０１０２】
［５−２．まとめと効果］
ここまで説明したように、第５の実施の形態では、リジェクトカセット１７に、ロックレバー１０２からなるロック機構１００を設け、さらにこのロックレバー１０２の一端（後端）に爪１０２Ｂを設け、他端（前端）に磁石１０２Ｃを設けるようにした。
【０１０３】
そして、リジェクトカセット１７が紙幣出金機１から取り外されているときには、ロックレバー１０２の爪１０２Ｂが、閉じた状態のシャッタ４５の溝４５Ａに嵌入して、シャッタ４５をロックする。これにより、リジェクトカセット１７は、紙幣出金機１から取り外されたときに、不正にシャッタ４５が開けられてしまうことを防ぐことができる。
【０１０４】
また、リジェクトカセット１７は、紙幣出金機１に装着されたときに解除磁石１０１が、ロックレバー１０２の磁石１０２Ｃに近づけられると、解除磁石１０１とロックレバー１０２の磁石１０２Ｃとが引き合うことにより、ロックレバー１０２が回転することで、爪１０２Ｂがシャッタ４５の溝４５Ａから外れてシャッタのロックが解除される。
【０１０５】
このように、リジェクトカセット１７は、筐体４２の適切な位置に解除磁石１０１を近づけないと、シャッタ４５のロックを解除できないようになっている。また、筐体４２には、解除レバーを挿入するような孔もなく、ロックレバー１０２が外部から完全に隠蔽されている。これにより、第５の実施の形態のリジェクトカセット１７は、シャッタ４５のロックが不正に解除されてしまうことを、より確実に防ぐことができる。
【０１０６】
かくして、第５の実施の形態のリジェクトカセット１７は、従来と比して、一段とセキュリティ性を向上することができる。なお、図１０（Ｄ）のように、リジェクトカセット１７に、第４の実施の形態のロック機構８０と、第５の実施の形態のロック機構１００とを設けることも出来る。このようにすることで、リジェクトカセット１７が紙幣出金機１から取り外されているときには、２つの異なるロック機構８０、１００が、それぞれ別々にシャッタ４５をロックする。これにより、リジェクトカセット１７は、紙幣出金機１から取り外されたときに、不正にシャッタ４５が開けられてしまうことをより確実に防ぐことができる。
【０１０７】
また、リジェクトカセット１７は、２つの異なるロック機構８０、１００を一度に解除しないと（すなわち同時にロックを解除した状態にしないと）、シャッタ４５のロックを解除することが出来なくなっている。さらに、一方のロック機構８０が解除レバー８１の挿入によって解除できる機構であるのに対して、他方のロック機構１００は解除磁石１０１の引き合いによって解除できる機構である。つまり、２つのロック機構８０、１００の解除方法が大きく異なる為、両方のロック機構８０、１００を同時に解除することはより困難となっている。特に、ロック機構１００については、リジェクトカセット１７の内部に隠蔽されている為、リジェクトカセット１７を外側から見ただけでは、このロック機構１００の存在に気づくことすらできない。かくして、図１０（Ｄ）に示したリジェクトカセット１７は、１つのロック機構を有する第４及び第５の実施の形態と比べて、一段とセキュリティ性を向上することができる。
【０１０８】
［６．第６の実施の形態］
次に、第６の実施の形態について説明する。この第６の実施の形態は、リジェクトカセット１７のロック機構と解除レバーの構成が、第１の実施の形態とは異なるものである。尚、紙幣出金機１の基本的な構成については、第１の実施の形態と同様の為、詳しい説明については第１の実施の形態を参照とする。よって、ここでは、主に、リジェクトカセット１７のロック機構及び解除レバーの構成について説明する。
【０１０９】
［６−１．ロック機構及び解除レバーの構成］
図８に、リジェクトカセット１７のロック機構１１０及び解除レバー１１１の構成を示す。尚、図８については、図２と同一の部分には同一の符号を付してある。同一部分の詳しい説明については第１の実施の形態を参照とする。
【０１１０】
リジェクトカセット１７の筐体４２の後面には、右端寄りの位置に、リジェクトカセット１７が紙幣出金機１に装着される際に、紙幣出金機１側に設けられた解除レバー１１１が挿入される挿入口１１２が設けられている。
【０１１１】
筐体４２の内部には、シャッタ４５を閉じた状態でロックする為のロック機構１１０が設けられている。ロック機構１１０は、ギア１１３と、ロックレバー１１４からなり、ギア１１３は、歯車形状でなり、左右方向に延びる支軸１１５によって回転可能に支持されている。このギア１１３には、筐体４２の右側壁と対向する外側の面に、筐体４２の右側壁側に突出する突起１１３Ａが設けられている。また、このギア１１３は、図示しないスプリングなどにより突起１１３Ａが支軸１１５の真上に留まるようにして、支軸１１５に支持されている。
【０１１２】
ロックレバー１１４は、ギア１１３の外側に設けられギア１１３の中心から後側へと延びる板状のアーム部１１４Ａと、ギア１１３の後方に設けられ上下方向に延びる棒状のカンヌキ部１１４Ｂとで構成されている。アーム部１１４Ａは、支軸１１５によって、一端側の根元部分を中心に回転可能に支持されているともに、先端部分がカンヌキ部１１４Ｂの中央部分と係合している。したがって、ロックレバー１１４は、ギア１１３が図中時計まわり方向に回転すると、ギア１１３の突起１１３Ａとアーム部１１４Ａが接触してアーム部１１４Ａが図中時計まわり方向に回転し、これにともなってカンヌキ部１１４Ｂが下方にスライドするようになっている。
【０１１３】
また、カンヌキ部１１４Ｂは、閉じているシャッタ４５の下面に形成された溝４５Ａの下側に位置するようになっている。さらに、ロックレバー１１４は、アーム部１１４Ａが、図示しないスプリングなどにより図中反時計まわり方向に付勢されていて、これによりギア１１３の突起１１３Ａが支軸１１５の真上に位置するときには、カンヌキ部１１４Ｂの上端がシャッタ４５の下面に形成された溝４５Ａに嵌入して、シャッタ４５を閉じた状態でロックするようになっている。また、カンヌキ部１１４Ｂは、上端がシャッタ４５の溝４５Ａに嵌入しているときには下端がギア１１３の下端より上方に位置し、上端がシャッタ４５の溝４５Ａから外れると、下端がギア１１３の下端より下方に位置するようになっている。
【０１１４】
紙幣出金機１側の解除レバー１１１は、前後方向に延びる棒状でなり、上面の先端部分にギア１１３と同一のモジュール（すなわち歯の大きさ）でなる歯１１１Ａが形成されている。さらに、この解除レバー１１１の上面には、歯１１１Ａが形成されている部分の後側に、溝１１１Ｂが形成されている。
【０１１５】
リジェクトカセット１７の構成は、以上のようになっている。ここで、シャッタ４５のロックを解除する解除動作について説明する。
【０１１６】
図８（Ａ）に示す状態から、作業者が、リジェクトカセット１７を、紙幣出金機１の収納筐体１０に押し込んでいくと、まず、解除レバー１１１が、リジェクトカセット１７の挿入口１１２からリジェクトカセット１７の内部に挿入される。
【０１１７】
さらに、リジェクトカセット１７が押し込まれていくと、挿入口１１２から挿入された解除レバー１１１の先端がギア１１３の下部に到達してギア１１３と噛み合う。さらに、リジェクトカセット１７が押し込まれていくと、解除レバー１１１が進行することにともなって、ギア１１３が図中時計まわり方向に回転する。さらに、図８（Ｂ）に示すように、リジェクトカセット１７が押し込まれていくと、ギア１１３の突起１１３Ａがロックレバー１１４のアーム部１１４Ａに接触してアーム部１１４Ａを図中時計まわり方向に回転させ、これによりアーム部１１４Ａと係合するカンヌキ部１１４Ｂが下方にスライドする。
【０１１８】
このとき、カンヌキ部１１４Ｂの下方に解除レバー１１１の溝１１１Ｂが位置するようになっていて、これにより、カンヌキ部１１４Ｂは、その下端が解除レバー１１１の溝１１１Ｂの底に当たるまでスライドできるようになっている。そして、カンヌキ部１１４Ｂの下端が解除レバー１１１の溝１１１Ｂに入り込んで溝１１１Ｂの底に当たるまでの間に、カンヌキ部１１４Ｂの下端がギア１１３の下端より下方に下りてくるとともに、カンヌキ部１１４Ｂの上端がシャッタ４５の溝４５Ａから外れて、シャッタ４５のロックが解除される。このような解除動作により、シャッタ４５のロックが解除される。
【０１１９】
また、図示しないが、リジェクトカセット１７を紙幣出金機１から取り外す場合、リジェクトカセット１７は、図示しないアクチュエータによりシャッタ４５が閉じられた後、上述の解除動作とは逆の手順の動作（ロック動作）により、シャッタ４５を閉じた状態でロックするようになっている。
【０１２０】
［６−２．まとめと効果］
ここまで説明したように、第６の実施の形態では、リジェクトカセット１７に、ギア１１３とロックレバー１１４からなるロック機構１１０を設けるようにした。そして、リジェクトカセット１７が紙幣出金機１から取り外されているときには、ロックレバー１１４のカンヌキ部１１４Ｂが、閉じた状態のシャッタ４５の溝４５Ａに嵌入することで、シャッタ４５をロックする。これにより、リジェクトカセット１７は、紙幣出金機１から取り外されたときに、不正にシャッタ４５が開けられてしまうことを防ぐことができる。
【０１２１】
また、リジェクトカセット１７は、ギア１１３と噛み合う形状の解除レバー１１１が挿入口１１２から挿入されると、この解除レバー１１１によってギア１１３が回転することにより、ロックレバー１１４のアーム部１１４Ａが回転し、アーム部１１４Ａと係合するカンヌキ部１１４Ｂがシャッタ４５の溝４５Ａから外れる方向（すなわち下方）にスライドする。このとき、カンヌキ部４５Ｂがスライドする方向には、解除レバー１１１が存在することになるが、解除レバー１１１には、カンヌキ部１１４Ｂがシャッタ４５の溝４５Ａから外れるまでスライドできるように、カンヌキ部１１４Ｂの下端と対向する箇所に溝１１１Ｂが設けられている。これにより、カンヌキ部１１４Ｂがシャッタ４５の溝４５Ａから外れるまでスライドして、シャッタ４５のロックが解除される。
【０１２２】
このように、リジェクトカセット１７は、挿入口１１２に、ギア１１３と噛み合う形状の歯１１１Ａが形成され且つ適切な位置に溝１１１Ｂが形成された解除レバー１１１を挿入しないと、シャッタ４５のロックを解除できないようになっている為、例えば、単純な形状の棒を挿入口１１２から挿入して不正にロックを解除しようとしても、解除することはできない。また、第１の実施の形態のようなギア５２と噛み合う形状の歯が形成されただけの解除レバー４０でも解除できない。これにより、第６の実施の形態のリジェクトカセット１７は、シャッタ４５のロックが不正に解除されてしまうことを、より確実に防ぐことができる。
【０１２３】
かくして、第６の実施の形態のリジェクトカセット１７は、従来と比して、一段とセキュリティ性を向上することができる。
【０１２４】
［７．第７の実施の形態］
次に、第７の実施の形態について説明する。この第７の実施の形態は、リジェクトカセット１７のロック機構と解除レバーの構成が、第１の実施の形態とは異なるものである。尚、紙幣出金機１の基本的な構成については、第１の実施の形態と同様の為、詳しい説明については第１の実施の形態を参照とする。よって、ここでは、主に、リジェクトカセット１７のロック機構及び解除レバーの構成について説明する。
【０１２５】
［７−１．ロック機構及び解除レバーの構成］
図９に、リジェクトカセット１７のロック機構１２０の構成を示す。尚、図９については、図２（Ｂ）と同一の部分には同一の符号を付してある。同一部分の詳しい説明については第１の実施の形態を参照とする。
【０１２６】
リジェクトカセット１７の筐体４２の後面には、右端寄りの位置に、リジェクトカセット１７が紙幣出金機１に装着される際に、紙幣出金機１側に設けられた解除レバー１２１が挿入される挿入口１２２が設けられている。筐体４２の内部には、シャッタ４５を閉じた状態でロックする為のロック機構１２０が設けられている。
【０１２７】
ロック機構１２０は、ロックレバー１２３からなり、ロックレバー１２３は、筐体の側面側から見て略Ｌ字型の形状となっている。このロックレバー１２３は、左右方向に延びる支軸１２４によって、Ｌ字の折れ曲がっている箇所に相当する折れ曲がり箇所を中心に回転可能に支持されている。このロックレバー１２３は、折れ曲がり箇所から後面側に延びる第１の部分１２３Ａと、下方に延びる第２の部分１２３Ｂとでなり、第１の部分１２３Ａの先端近傍には、上方に突出する爪１２３Ｃが設けられている。
【０１２８】
このロックレバー１２３は、第１の部分１２３Ａが、閉じているシャッタ４５の下側に位置するとともに、第２の部分１２３Ｂの下端が、挿入口１２２の奥に位置するようになっている。さらにこのロックレバー１２３は、図示しないスプリングなどにより図中反時計まわり方向に付勢されていて、これによりロックレバー１２３の爪１２３Ｃがシャッタ４５の下面に形成された溝４５Ａに嵌入して、シャッタ４５を閉じた状態でロックするようになっている。
【０１２９】
紙幣出金機１側の解除レバー１２１は、前後方向に延びる棒状でなり、上面の先端側に溝１２１Ａが形成されている。
【０１３０】
ロック機構１２０及び解除レバー１２１の構成は、以上のようになっている。ここで、シャッタ４５のロックを解除する解除動作について説明する。
【０１３１】
作業者が、リジェクトカセット１７を、紙幣出金機１の収納筐体１０に押し込んでいくと、まず、図９（Ａ）に示すように、解除レバー１２１が、リジェクトカセット１７の挿入口１２２からリジェクトカセット１７の内部に挿入される。
【０１３２】
さらに、リジェクトカセット１７が押し込まれていくと、挿入口１２２から挿入された解除レバー１２１の先端がロックレバー１２３の第２の部分１２３Ｂに到達して第２の部分１２３Ｂに接触する。さらに、リジェクトカセット１７が押し込まれていくと、図９（Ｂ）に示すように、解除レバー１２１によって、ロックレバー１２３の第２の部分１２３Ｂが前方に押されることで、ロックレバー１２３が図中時計まわり方向に回転する。このとき、ロックレバー１２３の第１の部分１２３Ａの下方に解除レバー１２１の溝１２１Ａが位置するようになっていて、これにより、ロックレバー１２３は、第１の部分１２３Ａが解除レバー１２１の溝１２１Ａの底に当たるまで図中時計まわり方向に回転できるようになっている。そして、ロックレバー１２３の第１の部分１２３Ａが溝１２１Ａに入り込んで底に当たるまでの間に、ロックレバー１２３の爪１２３Ｃがシャッタ４５の溝４５Ａから外れて、シャッタ４５のロックが解除される。このような解除動作により、シャッタ４５のロックが解除される。
【０１３３】
また、図示しないが、リジェクトカセット１７を紙幣出金機１から取り外す場合、リジェクトカセット１７は、図示しないアクチュエータによりシャッタ４５が閉じられた後、上述の解除動作とは逆の手順の動作（ロック動作）により、シャッタ４５を閉じた状態でロックするようになっている。
【０１３４】
［７−２．まとめと効果］
ここまで説明したように、第７の実施の形態では、リジェクトカセット１７に、ロックレバー１２３からなるロック機構１２０を設けるようにした。そして、リジェクトカセット１７が紙幣出金機１から取り外されているときには、ロックレバー１２３の爪１２３Ｃが、閉じた状態のシャッタ４５の溝に嵌入することで、シャッタ４５をロックする。これにより、リジェクトカセット１７は、紙幣出金機１から取り外されたときに、不正にシャッタ４５が開けられてしまうことを防ぐことができる。
【０１３５】
また、リジェクトカセット１７は、解除レバー１２１が挿入口１２２から挿入されると、この解除レバー１２１によってロックレバー１２３が回転する。このとき、ロックレバー１２３が回転する方向には、解除レバー１２１が存在することになるが、解除レバー１２１には、ロックレバー１２３の爪１２３Ｃがシャッタ４５の溝４５Ａから外れるまで回転できるように、ロックレバー１２３と対向する箇所に溝１２１Ａが設けられている。これにより、ロックレバー１２３の爪１２３Ｃがシャッタ４５の溝４５Ａから外れるまで回転して、シャッタ４５のロックが解除される。
【０１３６】
このように、リジェクトカセット１７は、挿入口１２２に、適切な位置に溝１２１Ａが形成された解除レバー１２１を挿入しないと、シャッタ４５のロックを解除できないようになっている為、例えば、図９（Ｃ）に示すように、単純な棒状のレバー１３０を挿入口１２２から挿入して不正にロックを解除しようとしても、解除することはできない。これにより、第７の実施の形態のリジェクトカセット１７は、シャッタ４５のロックが不正に解除されてしまうことを、より確実に防ぐことができる。
【０１３７】
かくして、第７の実施の形態のリジェクトカセット１７は、従来と比して、一段とセキュリティ性を向上することができる。
【０１３８】
［８．他の実施の形態］
［８−１．他の実施の形態１］
尚、上述した第５の実施の形態では、紙幣出金機１側の解除磁石１０１と、リジェクトカセット１７側のロックレバー１０２の爪１０２Ｂとは反対側の端に設けられた磁石１０２Ｃとが引き合うことにより、ロックレバー１０２が回転して爪１０２Ｂがシャッタ４５の溝４５Ａから外れ、シャッタ４５のロックが解除されるようにした。これに限らず、例えば、磁石の引き合う力を利用して、ロックを解除するようにしてもよいし、磁石の反発する力を利用して、ロックを解除するようにしてもよい。
【０１３９】
［８−２．他の実施の形態２］
さらに、上述した第１乃至第７の実施の形態では、媒体収納部としての収納部を有する収納庫筐体としての筐体４２と、媒体収納部の入出口としての取込孔１７Ｈを露出又は隠蔽するシャッタ４５と、第１のロック機構又は第２のロック機構としてのロック機構５０、６１、７０、８０、１００、１１０、１２０とを有する媒体収納庫としてのリジェクトカセット１７に本発明を適用したが、これに限らず、媒体取引装置に着脱可能でシャッタを有する媒体収納庫であれば、リジェクトカセット１７以外の媒体収納庫に適用してもよい。例えば、媒体収納庫としての紙幣カセット１１に適用してもよい。
【０１４０】
さらに、上述した第１乃至第４、及び第６乃至第７の実施の形態では、鑑別部１４と、媒体収納庫としてのリジェクトカセット１７と、装置筐体としての収納筐体１０と、搬送部１３と、第１の解除部又は第２の解除部としての、解除レバー４０、６０、７１、８１、１１１、１２１とを有する媒体取引装置としての紙幣出金機１に本発明を適用したが、これに限らず、シャッタを有する着脱可能な媒体収納庫を有する媒体取引装置であれば、紙幣出金機１以外の媒体取引装置に適用してもよい。例えば、紙幣以外の媒体（切符、チケットなど）を扱う媒体取引装置に適用してもよい。
【０１４１】
［８−３．他の実施の形態３］
さらに本発明は、上述した各実施の形態に限定されるものではない。すなわち本発明は、上述した各実施の形態の一部又は全部を任意に組み合わせた実施の形態や、一部を抽出した実施の形態にもその適用範囲が及ぶものである。
【産業上の利用可能性】
【０１４２】
本発明は、媒体取引装置に着脱可能でシャッタを有する媒体収納庫で広く利用できる。
【符号の説明】
【０１４３】
１……紙幣出金機、１０……収納筐体、１１……紙幣収納カセット、１３……搬送部、１４……鑑別部、１７……リジェクトカセット、２９……出金口、４０、６０、７１、８１、１１１、１２１……解除レバー、４１、７２、８２、１１２、１２２……挿入口、４２……筐体、４５……シャッタ、５１、７３、８３、１０２、１１４、１２３……ロックレバー、５２、６２、１１３……ギア、７１Ｂ……可動部、８１Ａ、８１Ｂ……孔、８４……奥側ブロック、８５……手前側ブロック、１０１……解除磁石、１０２Ｃ……磁石。
【図１】
0006606829.tif 000002
【図２】
0006606829.tif 000003
【図３】
0006606829.tif 000004
【図４】
0006606829.tif 000005
【図５】
0006606829.tif 000006
【図６】
0006606829.tif 000007
【図７】
0006606829.tif 000008
【図８】
0006606829.tif 000009
【図９】
0006606829.tif 000010
【図１０】
0006606829.tif 000011